(57)【要約】【課題】容易に設置面に設置できる照明装置を提供することを目的とする。【解決手段】照明装置は、複数個のＬＥＤ２３１を光源とする長尺状の光源装置２と、光源装置２を設置面に着脱自在に取り付けるための取付具とを備え、光源装置２は、商用電源から受電してＬＥＤ点灯用の電力を生成するＡＣ変換アダプタに電気ケーブル９を介して接続されると共にＬＥＤ点灯及び消灯用のスイッチ２５１を有し、光源装置２は、表面に透光性の表カバー２１６を有する長尺状の筐体と、複数個のＬＥＤ２３１を列状に実装してなるＬＥＤモジュール２３とを有し、ＬＥＤモジュール２３は表カバー２１６と対向する状態で筐体の底壁に設けられている。【選択図】図５
2017147115.tif 000002
【特許請求の範囲】
【請求項１】
複数個のＬＥＤを光源とする長尺状の光源装置と、前記光源装置を設置面に着脱自在に取り付けるための取付具とを備える照明装置であって、
前記光源装置は、商用電源から受電して前記複数個のＬＥＤ点灯用の電力を生成するＡＣ変換アダプタに電気ケーブルを介して接続されると共に前記複数個のＬＥＤの点灯及び消灯用のスイッチを有し、
当該光源装置は、表面に透光性の表カバーを有する長尺状の筐体と、前記複数個のＬＥＤを列状に実装してなるＬＥＤモジュールとを有し、
前記ＬＥＤモジュールは前記表カバーと対向する状態で前記筐体の底壁に設けられている
照明装置。
【請求項２】
前記表カバーは、前記複数個のＬＥＤと対向する部分が表側に張り出すように湾曲している
請求項１に記載の照明装置。
【請求項３】
前記筐体は、表側の開口が前記表カバーで覆われるベースを有し、
前記ベースは、長尺矩形状をした前記底壁と、当該底壁の短手方向の端部から立設する一対の側壁とを有し、横断面において、前記底壁の短手方向の中央を通り且つ前記底壁に対して直交する仮想線に対して対称な形状をしている
請求項２に記載の照明装置。
【請求項４】
前記側壁は、前記底壁に近い側から、外面から短手方向の内方へと凹入し且つ長手方向に延伸する溝と、内面から短手方向の外方へと凹入し且つ長手方向に延伸する溝とを隣接して有している
請求項３に記載の照明装置。
【請求項５】
前記取付具は前記側壁における前記底壁に近い側の溝に係合する係合部を有する
請求項４に記載の照明装置。
【発明の詳細な説明】
【技術分野】
【０００１】
本発明は、ＬＥＤを光源とする光源装置が設置面に取り付けられる照明装置に関する。
【背景技術】
【０００２】
近年、環境意識の高まりから、省電力化に優れたＬＥＤを光源に使用したＬＥＤ照明装置が盛んに用いられるようになり、壁等の設置面に直接取り付ける直付けタイプの装置がある（例えば特許文献１）。
特許文献１の照明装置では、ＬＥＤに電力を供給するための電気ケーブルが設置面の裏側に配置され、またＬＥＤの点灯・消灯のスイッチが設置面に設けられている。
【先行技術文献】
【特許文献】
【０００３】
【特許文献１】特開２０１２−１８１９４７号公報
【発明の概要】
【発明が解決しようとする課題】
【０００４】
上記照明装置では、電気ケーブル及びスイッチの設置が大変であり、照明装置を簡単に設置面に設置できないという問題がある。
本発明は、容易に設置面に設置できる照明装置を提供することを目的とする。
【課題を解決するための手段】
【０００５】
本発明に係る照明装置は、複数個のＬＥＤを光源とする長尺状の光源装置と、前記光源装置を設置面に着脱自在に取り付けるための取付具とを備える照明装置であって、前記光源装置は、商用電源から受電して前記複数個のＬＥＤ点灯用の電力を生成するＡＣ変換アダプタに電気ケーブルを介して接続されると共に前記複数個のＬＥＤの点灯及び消灯用のスイッチを有し、当該光源装置は、表面に透光性の表カバーを有する長尺状の筐体と、前記複数個のＬＥＤを列状に実装してなるＬＥＤモジュールとを有し、前記ＬＥＤモジュールは前記表カバーと対向する状態で前記筐体の底壁に設けられている。
【発明の効果】
【０００６】
上記構成によれば、光源装置は電気ケーブルを介して受電できるため、設置面に開口等を設けることなく、容易に設置できる。
【図面の簡単な説明】
【０００７】
【図１】照明装置の斜視図である。
【図２】光源装置が取付具に取り付けられる前の照明装置を示す斜視図である。
【図３】光源装置の斜視図である。
【図４】光源装置の分解斜視図である。
【図５】（ａ）は図３における断面をＡから見た図であり、（ｂ）は図３における断面をＢから見た図である。
【図６】ベースを表側から見た図である。
【図７】（ａ）は第１端カバーの斜視図であり、（ｂ）は表側から見た図である。
【図８】（ａ）は第１端カバーを光源装置の外側から見た図であり、（ｂ）は第１端カバーを光源装置の内側から見た図である。
【図９】（ａ）は第２端カバーを表側から見た斜視図であり、（ｂ）は第２端カバーを裏側から見た斜視図である。
【図１０】（ａ）は第２端カバーを短手方向から見た図であり、（ｂ）は第２カバーを裏側から見た図である。
【図１１】（ａ）は第２端カバーを光源装置の外側から見た図であり、（ｂ）は第２端カバーを光源装置の内側から見た図である。
【図１２】（ａ）は取付具を表側から見た図であり、（ｂ）は取付具を表側から見た図である。
【図１３】（ａ）は取付具を長手方向から見た実図であり、（ｂ）は取付具の横断面図である。
【図１４】変形例に係る光源装置を取付具に取り付ける前の状態の照明装置の斜視図である。
【図１５】変形例に係る取付具を長手方向から見た図である。
【図１６】（ａ）は変形例に係る取付具を図１４のＣ方向から見た図であり、（ｂ）は変形例に係る取付具を図１４のＤ方向から見た図である。
【発明を実施するための形態】
【０００８】
＜概要＞
実施形態の一態様に係る照明装置は、複数個のＬＥＤを光源とする長尺状の光源装置と、前記光源装置を設置面に着脱自在に取り付けるための取付具とを備える照明装置であって、前記光源装置は、商用電源から受電して前記複数個のＬＥＤ点灯用の電力を生成するＡＣ変換アダプタに電気ケーブルを介して接続されると共に前記複数個のＬＥＤの点灯及び消灯用のスイッチを有し、当該光源装置は、表面に透光性の表カバーを有する長尺状の筐体と、前記複数個のＬＥＤを列状に実装してなるＬＥＤモジュールとを有し、前記ＬＥＤモジュールは前記表カバーと対向する状態で前記筐体の底壁に設けられている。これにより、壁等に光源装置の点灯及び消灯用のスイッチを設ける必要がない。ＬＥＤからの光は表カバーを介して光源装置から出射れるための、光取り出し効率がよい。また、光源装置の構造も簡単となる。
実施形態の別態様に係る照明装置において、前記表カバーは、前記複数個のＬＥＤと対向する部分が表側に張り出すように湾曲している。これにより、意匠性を向上できる。また。ＬＥＤモジュールとの間隔を大きくできる。
実施形態の別態様に係る照明装置において、前記筐体は、表側の開口が前記表カバーで覆われるベースを有し、前記ベースは、長尺矩形状をした前記底壁と、当該底壁の短手方向の端部から立設する一対の側壁とを有し、横断面において、前記底壁の短手方向の中央を通り且つ前記底壁に対して直交する仮想線に対して対称な形状をしている。これにより、ベースの向きを間違えることがなく、組み立て効率が向上する。
実施形態の別態様に係る照明装置において、前記側壁は、前記底壁に近い側から、外面から短手方向の内方へと凹入し且つ長手方向に延伸する溝と、内面から短手方向の外方へと凹入し且つ長手方向に延伸する溝とを隣接して有している。これにより、表カバーの取付機能を有する底壁の構造を簡単できる。
実施形態の別態様に係る照明装置において、前記取付具は前記側壁における前記底壁に近い側の溝に係合する係合部を有する。これにより、取付具への取付機能を有する底壁の構造を簡単できる。
【０００９】
１．全体構成
本実施形態に係る照明装置１の概要について主に図１及び図２を用いて説明する。
照明装置１は、ＬＥＤを光源とする光源装置２と、光源装置２を設置面５に取り付けるための取付具３とを有している。取付具３を介して設置面５に取り付けられた光源装置２は例えば補助灯として使用される。
例えば、寝室では、ベッドの宮やその周辺に取り付けられ、読書の際に手元の本を照らすのに当該照明装置１が利用される。台所では、流し台周辺の天井や壁に取り付けられ、調理器具や食器を洗う際や料理をする際に手元を照らしたり、流し台下の収納庫を照らしたりするのに当該照明装置１が利用される。
【００１０】
光源装置２は長尺をしており、設置面５に対して遠近する方向を厚み方向とし、長手方向と厚み方向とに直交する方向を短手方向とする。また、光源装置２から出射される側（被照射面側）を表側とし、設置面側を裏側とする。
照明装置１は、光源装置２と取付具３の他、商用電源から受電してＬＥＤ点灯用の電力を生成するＡＣ変換アダプタ（図示省略）を備える。ここでは、光源装置２は電気ケーブル９によりＡＣ変換アダプタに接続されている。つまり、光源装置２はＡＣ変換アダプタを備えている。なお、電気ケーブル９をＡＣ変換アダプタ又は光源装置２に対して着脱自在な構成としてもよい。
ここでの光源装置２は、図２に示すよう、設置面５に固定されている取付具３に対して光源装置２の長手方向からスライドさせることで、取付具３に着脱自在に装着される。
【００１１】
２．光源装置
主に図４を用いて説明する。
光源装置２は、長尺状の筐体２１（図３参照。）と、筐体２１内に配されるＬＥＤモジュール２３と、点灯・消灯用のスイッチユニット２５とを有している。本実施形態の光源装置２は、上記構成以外に、ＡＣ変換アダプタと、ＡＣ変換アダプタと接続するための電気ケーブル９とを有している。
【００１２】
（１）筐体
図３〜図５、主に図４を用いて説明する。
筐体２１は、ＬＥＤモジュール２３を収容するＬＥＤ収容部２１１と、スイッチユニット２５（の大部分）を収容するスイッチ収容部２１２を有している。ここでは、ＬＥＤ収容部２１１とスイッチ収容部２１２とを長手方向に有している。これにより筐体２１の短手方向の寸法を小さくできる。
【００１３】
筐体２１は、長手方向の両端と表側が開放する長尺状のベース２１３と、ベース２１３の長手方向の第１端側に設けられた第１端カバー２１４と、ベース２１３の長手方向の第２端側に設けられた第２端カバー２１５と、ベース２１３の表側に設けられ且つＬＥＤモジュール２３を表側から覆うＬＥＤ側表カバー（本発明の「表カバー」の一例に相当する。）２１６とを有している。
ここで、第２端カバー２１５は、ベース２１３の表側に設けられ且つスイッチユニット２５の大部分を表側から覆う第２補助表カバー部２１５ｂを有している。なお、第２補助表カバー部２１５ｂは、スイッチユニット２５を覆うため、スイッチ側表カバー部とも言える。第２補助表カバー部２１５ｂは、ＬＥＤ側表カバー２１６と同様に、第２端カバー２１５から独立した形態であってもよいし、ＬＥＤ側表カバー２１６と一体であってもよい。
ＬＥＤ収容部２１１は、ベース２１３、第１端カバー２１４及びＬＥＤ側表カバー２１６から構成されている。スイッチ収容部２１２は、ベース２１３、第２補助表カバー部２１５ｂを有する第２端カバー２１５から構成されている。なお、ＬＥＤ収容部２１１とスイッチ収容部２１２とは、後述の第２端カバー２１５の支持板部２１５ｍにより仕切られている。
【００１４】
（１−１）ベース
図４〜図６、主に図５及び図６を用いて説明する。
ベース２１３は、長尺矩形状をする底壁２１３ａと、底壁２１３ａにおける長手方向に沿う端辺（短手方向と直交する端辺）に設けられた一対の側壁２１３ｂ，２１３ｃとを有している。ベース２１３は表側が開口する「コ」字状や「Ｕ」字に近い横断面形状を有している。ベース２１３は、横断面において、底壁２１３ａの短手方向の中央を通り且つ底壁２１３ａと直交する仮想線に対して対称な形状をしている。
【００１５】
底壁２１３ａは、長手方向にリブ状に延伸する一対の延伸凸部２１３ｄ，２１３ｅを表面に有している。一対の延伸凸部２１３ｄ，２１３ｅの間隔はＬＥＤモジュール２３のＬＥＤ基板２３３の幅に等しい。つまり、一対の延伸凸部２１３ｄ，２１３ｅ間にＬＥＤモジュール２３が配される。
ベース２１３は例えばアルミ押出しにより作成されている。このため、ＬＥＤモジュール２３の放熱が充分に行える。なお、ベース２１３の内側に、反射シートを貼ったり、反射塗装をすることにより、出射光量を増やすようにしてもよい。
【００１６】
一対の側壁２１３ｂ，２１３ｃは取付具３に取り付けられる取付部２１３ｆ，２１３ｇを有している。取付部２１３ｆ，２１３ｇは側壁２１３ｂ，２１３ｃにおける底壁２１３ａから表側に離された部位に設けられている。取付部２１３ｆ，２１３ｇは他方の側壁２１３ｃ，２１３ｂ側へ凹入する溝により構成されている。溝は側壁２１３ｂ，２１３ｃの長手方向の全長に亘って設けられている。ここでは、側壁２１３ｂ，２１３ｃにおける取付部２１３ｆ，２１３ｇに相当する部位が厚みを変えずに短手方向の内方に凹入（湾曲）することで取付部２１３ｆ，２１３ｇが構成されている。
【００１７】
一対の側壁２１３ｂ，２１３ｃはＬＥＤ側表カバー２１６、第１端カバー２１４（第１補助表カバー部２１４ｂ）及び第２端カバー２１５（第２補助表カバー部２１５ｂ）を装着するための装着部２１３ｈ，２１３ｊを有している。装着部２１３ｈ，２１３ｊは側壁２１３ｂ，２１３ｃにおける表側端部に設けられている。装着部２１３ｈ，２１３ｊは、他方の側壁２１３ｃ，２１３ｂが存在する側と反対側に凹入する溝により構成されている。溝は側壁２１３ｂ，２１３ｃの長手方向の全長に亘って設けられている。ここでは、側壁２１３ｂ，２１３ｃにおける装着部２１３ｈ，２１３ｊに相当する部位が厚みを変えずに短手方向の外方に凹入（湾曲）することで装着部２１３ｈ，２１３ｊが構成されている。
【００１８】
一対の側壁２１３ｂ，２１３ｃはＬＥＤ側表カバー２１６、第１端カバー２１４（第１補助表カバー部２１４ｂ）及び第２端カバー２１５（第２補助表カバー部２１５ｂ）を裏側が支持する凸部２１３ｌ，２１３ｍを有している。側壁２１３ｂ，２１３ｃにおける凸部２１３ｌ，２１３ｍが存在する部分の厚みは、凸部２１３ｌ，２１３ｍが存在していない部分よりも短手方向に厚くなっている。
【００１９】
各側壁２１３ｂ，２１３ｃを長手方向から見る（図５に相当する。）と、「Ｓ」字状又は「Ｚ」字状に近い形状をし、底壁２１３ａに近い側の凹みが取付部２１３ｆ，２１３ｇであり、底壁２１３ａから遠い側の凹みが装着部２１３ｈ，２１３ｊである。つまり、取付部２１３ｆ，２１３ｇと装着部２１３ｈ，２１３ｊとは、凹入方向が逆であり、各側壁２１３ｂ，２１３ｃにおける表裏方向に隣接している。これにより、各側壁２１３ｂ，２１３ｃの表裏方向（厚み方向）及び短手方向の寸法を小さくできる。
ベース２１３の長手方向の第１端には第１端カバー２１４を取り付けるための第１端カバー取付部を有している。ここでの第１端カバー取付部は底壁２１３ａの長手方向の第１端部に設けられた貫通孔２１３ｎ，２１３ｐである。
ベース２１３の長手方向の第２端には第２端カバー２１５を取り付けるための第２端カバー取付部を有している。ここでの第２端カバー取付部は底壁２１３ａの長手方向の第２端部に設けられた貫通孔２１３ｑ，２１３ｒである。
なお、第１及び第２カバー取付部は、貫通孔２１３ｎ，２１３ｐ，２１３ｑ，２１３ｒでなく、凹みであってもよい。
【００２０】
（１−２）第１端カバー
主に、図５の（ｂ）、図７及び図８を用いて説明する。
第１端カバー２１４は、ＬＥＤ側表カバー２１６がベース２１３の装着部２１３ｈ，２１３ｊに装着された状態のベース２１３の一端側を塞ぐ。第１端カバー２１４はベース２１３の第１端の端面に当接する板部２１４ａを有している。板部２１４ａはベース２１３の長手方向に対して直交する。板部２１４ａをベース２１３の長手方向から見た形状（図８に相当する。）は、ベース２１３にＬＥＤ側表カバー２１６が装着された状態をベース２１３の長手方向から見た外周形状（図５参照。）と同じである。これにより第１端カバー２１４のベース２１３の長手方向の内方への移動が規制される。また、外周形状が同じであるため、ＬＥＤ側表カバー２１６のベース２１３の第１端側からの抜けを規制できる。さらに、外周形状が同じであるため光源装置２の意匠性を高めることができる。
【００２１】
第１端カバー２１４は、板部２１４ａとＬＥＤ側表カバー２１６との間を埋める第１補助表カバー部２１４ｂを有している。第１補助表カバー部２１４ｂは板部２１４ａの表側端からベース２１３の長手方向の内方へと延伸している。第１補助表カバー部２１４ｂの横断面形状はＬＥＤ側表カバー２１６の横断面形状と一致している。第１補助表カバー部２１４ｂにおけるベース２１３の短手方向の端部２１４ｃ，２１４ｄは、ベース２１３の装着部２１３ｈ，２１３ｊに対して長手方向から挿入される。これにより第１端カバー２１４の表裏方向の移動が規制される。また、形状一致のため、第１補助表カバー部２１４ｂの装着にベース２１３の装着部２１３ｈ，２１３ｊをそのまま利用できる。
第１補助表カバー部２１４ｂにおけるベース２１３の短手方向の端部２１４ｃ，２１４ｄ間に存する中間部分２１４ｅは表側に円弧状に膨出している。これにより意匠性を高めることができる。
【００２２】
第１端カバー２１４はベース２１３に取り付けられるための取付部２１４ｆ，２１４ｇを有している。ここでの取付部２１４ｆ，２１４ｇは係合構造を利用している。取付部２１４ｆ，２１４ｇは板部２１４ａからベース２１３の長手方向の内方へと延伸する延伸片２１４ｈ，２１４ｊと、延伸片２１４ｈ，２１４ｊの延伸先端部から裏側に突出する突出部分２１４ｋ，２１４ｌとを有している。突出部分２１４ｋ，２１４ｌはベース２１３の底壁２１３ａの貫通孔２１３ｎ，２１３ｐ（図６参照）に係合する（嵌る）。
【００２３】
第１端カバー２１４はＬＥＤ側表カバー２１６を裏側から支持する支持板部２１４ｍを有している。支持板部２１４ｍは第１補助表カバー部２１４ｂにおける板部２１４ａと反対側の端に設けられている。支持板部２１４ｍは板部２１４ａと平行に配され、支持板部２１４ｍと板部２１４ａとに架設するように第１補助表カバー部２１４ｂが設けられている。支持板部２１４ｍの表面は第１補助表カバー部２１４ｂの中間部分２１４ｅの表面よりも裏側に位置し、支持板部２１４ｍの表面と第１補助表カバー部２１４ｂの表面とで段差部が形成されている。これにより、ＬＥＤ側表カバー２１６と第１補助表カバー部２１４ｂとの表面を面一状態で、ＬＥＤ側表カバー２１６を支持できる。
【００２４】
支持板部２１４ｍは板部２１４ａと反対側の面に張出部分２１４ｎを有している。なお、張出部分２１４ｎはベース２１３の長手方向の内方へと張り出す。張出部分２１４ｎの裏面２１４ｐは、支持板部２１４ｍの裏面よりも表側に位置する。張出部分２１４ｎの裏面２１４ｐはベース２１３に配されたＬＥＤモジュール２３のＬＥＤ基板２３３の表面に当接又は近接する。これによりＬＥＤモジュール２３の表側への移動が規制される。なお、張出部分２１４ｎはベース２１３の短手方向の略中央に設けられている。
支持板部２１４ｍは、ベース２１３の底壁２１３ａの一対の延伸凸部２１３ｄ，２１３ｅに対応する部分に、延伸凸部２１３ｄ，２１３ｅの延伸する方向に延びる溝２１４ｑ，２１４ｒを有している。
【００２５】
（１−３）第２端カバー
主に、図５の（ａ）、図９〜図１１を用いて説明する。
第２端カバー２１５は、ベース２１３の第２端の端面に当接する板部２１５ａを有している。板部２１５ａはベース２１３の長手方向に対して直交する。板部２１５ａをベース２１３の長手方向から見たときの外周形状（図１１に相当する。）は、ベース２１３を長手方向から見たときのベース２１３の表側を除く外周形状と略同じである。これにより第２端カバー２１５のベース２１３の長手方向の内方への移動が規制される。また、外周形状が同じであるため、ＬＥＤ側表カバー２１６のベース２１３の第２端側からの抜けを規制できる。
板部２１５ａは図外のアダプタに接続された電気ケーブル９を内部に導入するための欠け部２１５ｔを有している。欠け部２１５ｔは裏面から表側に向かって延伸する。
【００２６】
第２端カバー２１５は、板部２１５ａとＬＥＤ側表カバー２１６との間を埋める第２補助表カバー部２１５ｂを有している。第２補助表カバー部２１５ｂは板部２１５ａの表側端からベース２１３の長手方向の内方へと延伸している。第２補助表カバー部２５１ｂの横断面形状はＬＥＤ側表カバー２１６の横断面形状と一致している。第２補助表カバー部２１５ｂにおけるベース２１３の短手方向の端部２１５ｃ，２１５ｄは、ベース２１３の装着部２１３ｈ，２１３ｊに対して長手方向から挿入される。これにより第２端カバー２１５の表裏方向の移動が規制される。また、形状一致のため、第２補助表カバー部２１５ｂの装着にベース２１３の装着部２１３ｈ，２１３ｊをそのまま利用できる。
第２補助表カバー部２１５ｂにおける端部２１５ｃ，２１５ｄ間に存する中間部分２１５ｅが表側に円弧状に膨出している。これにより意匠性を高めることができる。中間部分２１５ｅは、点灯・消灯用のスイッチ２５１のセンサー用の貫通孔２１５ｓを有している。
【００２７】
第２端カバー２１５はベース２１３に取り付けられるための取付部２１５ｆ，２１５ｆを有している。ここでの取付部２１５ｆは係合構造を利用している。取付部２１５ｆは板部２１５ａからベース２１３の長手方向の内方へと延伸する延伸片２１５ｈと、延伸片２１５ｈの延伸先端部から裏側に突出する突出部分２１５ｊとを有している。２つの突出部分２１５ｊはベース２１３の底壁２１３ａの貫通孔２１３ｑ，２１３ｒ（図６参照）に係合する。
【００２８】
第２端カバー２１５はＬＥＤ側表カバー２１６を裏側から支持する支持板部２１５ｍを有している。支持板部２１５ｍは第２補助表カバー部２１５ｂにおける板部２１５ａと反対側の端に設けられている。支持板部２１５ｍは板部２１５ａと平行に配され、支持板部２１５ｍと板部２１５ａとに架設するように第２補助表カバー部２１５ｂが設けられている。支持板部２１５ｍの表面は第２補助表カバー部２１５ｂの表面よりも裏側に位置し、支持板部２１５ｍの表面と第２補助表カバー部２１５ｂの表面とで段差部が形成されている。これにより、ＬＥＤ側表カバー２１６と第２補助表カバー部２１５ｂとの表面を面一状態にして、ＬＥＤ側表カバー２１６を支持できる。
【００２９】
支持板部２１５ｍは板部２１５ａと反対側の面に張出部分２１５ｎを有している。なお、張出部分２１５ｎはベース２１３の長手方向の内方へと張り出す。張出部分２１５ｎの裏面２１５ｐは、支持板部２１５ｍの裏面よりも表側に位置する。張出部分２１５ｎの裏面２１５ｐはベース２１３に配されたＬＥＤモジュール２３のＬＥＤ基板２３３の表面に当接又は近接する。これによりＬＥＤモジュール２３の表側への移動が規制される。張出部分２１５ｎはベース２１３の短手方向の略中央に設けられている。なお、ＬＥＤモジュール２３の長手方向への移動は、ＬＥＤ基板２３３の長手方向の端面が第１端カバー２１４の支持板部２１４ｍと第２端カバー２１５の支持板部２１５ｍに当接又は近接することで規制される。
【００３０】
支持板部２１５ｍは、ベース２１３の底壁２１３ａの一対の延伸凸部２１３ｄ，２１３ｅに対応する部分に、延伸凸部２１３ｄ，２１３ｅの延伸する方向に延びる溝２１５ｑ，２１５ｑを有している。
支持板部２１５ｍは、スイッチユニット２５とＬＥＤ基板２３３とを電気的に接続するリード線（図示省略）が通過する溝２１５ｒ，２１５ｒを裏面に表側に凹入する状態で有している。溝２１５ｒはベース２１３の長手方向と平行な方向に延伸する。
【００３１】
第２端カバー２１５はスイッチユニット２５を固定する固定部を有している。固定部は複数種類あり、ここでは第１固定部２１５ｋと第２固定部２１５ｖの２種類がある。
【００３２】
第１固定部２１５ｋは、第２補助表カバー部２１５ｂから裏側に延伸する延伸片２１５ｋ１と、延伸片２１５ｋ１における支持板部２１５ｍ側に設けられた溝２１５ｋ２とを有する。第１固定部２１５ｋは、第２補助表カバー部２１５ｂの短手方向の両端部に設けられ、合計で２個ある。ここでは、第１固定部２１５ｋは第２補助表カバー部２１５ｂの短手方向の端部２１５ｃ，２１５ｄの裏面に設けられている。なお、溝２１５ｋ２の大きさはスイッチユニット２５のスイッチ基板２５３の厚みに相当する。
【００３３】
第２固定部２１５ｖは、図９の（ｂ）に示すように、支持板部２１５ｍにおける板部２１５ａ側の面であって裏面に近い部位から板部２１５ａ側に張り出す張出部分２１５ｗと、支持板部２１５ｍにおける板部２１５ａ側の面であって裏面から表側に離れた部位から板部２１５ａ側に張出部分２１５ｘとを有している。換言すると、張出部分２１５ｗは支持板部２１５ｍにおける板部２１５ａ側の面から張り出してスイッチユニット２５のスイッチ基板２５３の裏面を支持する。張出部分２１５ｘは支持板部２１５ｍにおける板部２１５ａ側の面から張り出してスイッチ基板２５３の表面を支持する。つまり、第２固定部２１５ｖはスイッチ基板２５３の表裏両面を支持する（挟持する）。
張出部分２１５ｗは、短手方向の両端部に設けられ、合計で２個ある。張出部分２１５ｘは表裏方向に延伸するリブ状をし、その裏面がスイッチ基板２５３に当接する。張出部分２１５ｘは短手方向に間隔をおいて複数個（ここでは２個）設けられている。張出部分２１５ｘは張出部分２１５ｗよりも短手方向の内側に設けられている。なお、張出部分（２１５ｘ）はリブ状をしていなくてもよい。
【００３４】
第２端カバー２１５はスイッチユニット２５の位置を規定する位置規制部２１５ｙを有している。ここでの位置規制部２１５ｙはスイッチ基板２５３に設けられた欠け部２５３ａ（図４参照。）に嵌合する突起部分により構成されている。位置規制部２１５ｙは支持板部２１５ｍの短手方向の略中央に設けられている。ここでの位置規制部２１５ｙを含めた突起部分は、表裏に延伸するリブにより構成されている（図９の（ｂ）参照。）。
突起部分におけるスイッチ基板２５３の表面よりも裏側に位置する部分が短手方向に細くなっており、細くなった部分がスイッチ基板２５３の欠け部２５３ａに嵌る位置規制部２１５ｙである。一方、突起部分におけるスイッチ基板２５３の表面よりも表側に位置する部分は短手方向に太くなっており、太くなった部分（２１５ｚ）の裏面がスイッチ基板２５３に当接する。これらにより、スイッチ基板２５３が表裏方向及び短手方向のそれぞれに位置規制される。
【００３５】
（１−４）ＬＥＤ側表カバー
主に図４、図５を用いて説明する。
ＬＥＤ側表カバー２１６は長尺状をしている。ＬＥＤ側表カバー２１６はＬＥＤモジュール２３の光出射方向側に配されている。ＬＥＤ側表カバー２１６は、ＬＥＤモジュール２３を覆うカバー本体２１６ａと、ベース２１３の装着部２１３ｈ，２１３ｊに装着される被装着部２１６ｂ，２１６ｃとを有している。
カバー本体２１６ａは短手方向の中央が表側に張り出す形状を有している。カバー本体２１６ａの横断面形状は表側に凸な円弧状をしている。カバー本体２１６ａの横断面形状の表面は、第１端カバー２１４の中間部分２１４ｅや第２端カバー２１５の中間部分２１５ｅの表面と同じ形状をしている。これにより意匠性を向上させることができる。また、カバー本体２１６ａの形状を円弧状とすることで、ＬＥＤモジュール２３との距離を大きくでき、均一全面出射に近づけることができる。
被装着部２１６ｂ，２１６ｃは、図５に示すように、カバー本体２１６ａの短手方向の端部に設けられている。被装着部２１６ｂ，２１６ｃは、カバー本体２１６ａから短手方向外方へと延伸し、ベース２１３の溝状の装着部２１３ｈ，２１３ｊに嵌る。
ＬＥＤ側表カバー２１６は透光性の樹脂材料から構成されている。なお、樹脂材料には拡散粒子が混入されている。
【００３６】
（２）ＬＥＤモジュール
主に図４及び図５を用いて説明する。
ＬＥＤモジュール２３は複数個のＬＥＤ２３１とＬＥＤ基板２３３とを有する。ここでは、ＬＥＤ基板２３３は長尺状をし、複数個のＬＥＤ２３１はＬＥＤ基板２３３に１列状に実装されている。ＬＥＤモジュール２３はベース２１３の底壁２１３ａの一対の延伸凸部２１３ｄ，２１３ｅ間に粘着シート２３５により固定されている。なお、粘着シート２３５はＬＥＤモジュール２３の裏面全体に亘って配されてもよいし、ＬＥＤモジュール２３の長手方向に間隔をおいて複数個所に配されてもよい。
【００３７】
（３）スイッチユニット
図４を用いて説明する。
スイッチユニット２５は、図外のＡＣ変換アダプタから商用電力を変換した直流電力を受電して、点灯・消灯や調光のスイッチ操作に対応して、ＬＥＤモジュール２３に所定の電力を供給する。
スイッチユニット２５は、スイッチ２５１とスイッチ基板２５３と調光回路（図示省略）を有している。なお、ＡＣ変換アダプタに調光回路を持たせることも可能であるが、調光信号をＡＣ変換アダプタに戻すための信号線が必要となる。
スイッチ２５１は、消灯、点灯、調光用の操作を認識できればよく、スイッチのタイプは特に限定するものではない。ここでは、スイッチ２５１として非接触タイプが利用され、スイッチ２５１の前方を遮る時間等で、消灯、点灯、調光用の操作を検出する。なお、スイッチ２５１は赤外線を利用している。
【００３８】
スイッチ基板２５３は、スイッチ回路や調光回路を構成する複数個の電子部品やスイッチ２５１を表面に実装する。スイッチ２５１は第２端カバー２１５の中間部分２１５ｅの貫通孔２１５ｓに嵌るように配されている。
スイッチ回路は、スイッチ２５１から点灯信号が入力されるとＬＥＤモジュール２３へ電力の供給を開始し、スイッチ２５１から消灯信号が入力されるとＬＥＤモジュール２３への電力を停止する。調光回路は、スイッチ２５１から調光信号が入力されるとＡＣ変換アダプタから受電した電力（通常点灯時の電力である。）を調光信号に合わせた電力に調整してＬＥＤモジュール２３に給電する。
【００３９】
スイッチ基板２５３は略矩形状をしている。スイッチ基板２５３は、ＬＥＤモジュール２３側の短辺の略中央に長手方向に延伸する欠け部２５３ａを有している。この欠け部２５３ａに第２端カバー２１５の位置規制部２１５ｙ（図９の（ｂ）等参照）が嵌る。
スイッチ基板２５３は、ＬＥＤモジュール２３と反対側の端の角部に矩形状の欠け部２５３ｂ，２５３ｃを有している。欠け部２５３ｂ，２５３ｃにおけるスイッチ基板２５３の短辺と平行な部分が第２端カバー２１５の第１固定部２１５ｋの溝２１５ｋ２に嵌る。欠け部２５３ｂ，２５３ｃにおけるスイッチ基板２５３の長辺と平行な部分が第１固定部２１５ｋの延伸片２１５ｋ１におけるスイッチ基板２５３の短手方向の内側の面に当接又は近接する。
欠け部２５３ａ，２５３ｂ，２５３ｃによりスイッチ基板２５３の第２端カバー２１５に対する位置ズレが抑制される。
【００４０】
３．取付具
主に図２を用いて説明する。
取付具３はベース３１と一対の立設片３３，３５とを有している。光源装置２は、一対の立設片３３，３５の間に配され、取付具３に着脱自在に取付けられる。
【００４１】
（３−１）ベース
主に図１２及び図１３を用いて説明する。
ベース３１は矩形板状をしている。ベース３１は取付具３を設置面５に固定する固定部を有している。ここでは、ベース３１が設置面５に接する状態で固定される。固定部は１種類又は複数種類ある。ここでは２種類である。
【００４２】
固定部３１ａは設置面５が金属である材料で構成されている場合に磁石を利用して固定するためのものである。固定部３１ａは磁石を収容するための凹部により構成される。ここでの固定部３１ａの底部分には貫通孔３１ｂが設けられている。なお、ここでは、磁石は円板状をしているため、固定部３１ａ及び貫通孔３１ｂは円形状をしている。
【００４３】
固定部３１ｃ，３１ｄは、ベース３１の短手方向の中央であって長手方向に間隔をおいて設けられている。固定部３１ｃ，３１ｄを利用する固定はねじ部材が利用される。このため、固定部３１ｃ，３１ｄは貫通孔により構成される。ここでは、ねじ部材は皿ねじタイプが利用され、ねじ部材の頭部がベース３１から張り出さないように貫通孔が表面拡がりとなっている。
【００４４】
（３−２）立設片
図１、図２、図１２及び図１３を用いて説明する。
立設片３３，３５はベース３１における長辺となる端部から表側に延伸する。なお、立設片３３，３５はベース３１に対して、９０［°］以上の角度で延伸している。ここでは、立設片３３，３５の対向面が外拡がりとなるように立設片３３，３５が延伸する。
【００４５】
立設片３３，３５は光源装置２を取り付けるための取付部３３ａ，３５ａを有している。ここでの取付部３３ａ，３５ａは係合構造を利用している。取付部３３ａ，３５ａは光源装置２のベース２１３に存在する溝状の取付部２１３ｆ，２１３ｇに係合する（嵌る）凸部分により構成される。凸部分は、立設片３３，３５から他方の立設片３５，３３に向かって突出すると共に、ベース３１の長手方向と平行に延伸している。
【００４６】
立設片３３，３５はベース３１との連結部分に貫通部を３３ｂ，３５ｂを有している。これにより立設片３３，３５はベース３１の短手方向に弾性変形可能となり、光源装置２をベース３１と対向する側から一対の立設片３３，３５間を広げて挿入することもできる。
【００４７】
立設片３５は立設片３３よりもベース３１の長手方向の寸法が大きくなっている。立設片３５は、取付具３を設置面５に対して直交した状態（立設片３５が設置面に接する状態）で固定する際の固定部３５ｃ，３５ｄを有する。固定部３５ｃ，３５ｄは、図２に示すように、立設片３５の短手方向の中央であって長手方向に間隔をおいて設けられている。固定部３５ｃ，３５ｄを利用する固定にはねじ部材が利用される。このため、固定部３５ｃ，３５ｄは貫通孔により構成される。ここでは、ねじ部材は皿ねじタイプが利用され、ねじ部材の頭部がベース３１から張り出さないように貫通孔は表面拡がりとなっている。
【００４８】
＜変形例＞
１．光源装置
（１）筐体
実施形態の筐体２１はベース２１３、第１端カバー２１４、第２端カバー２１５及びＬＥＤ側表カバー２１６を備え、表カバーがＬＥＤ側表カバー２１６と第２端カバー２１５の第２補助表カバー部２１５ｂとで構成されている。
しかしながら、表カバーは、ＬＥＤ側表カバー２１６と、第２端カバーと別体のスイッチ側表カバーとで構成されてもよい。さらには、表カバーはＬＥＤ側表カバーとスイッチ側表カバーとを一体で有してもよい。
筐体の構成や形状は、実施形態で説明したものに限定されず、ＬＥＤ収容部とスイッチ収容部を有する構成であればよい。
【００４９】
（２）ＬＥＤモジュール
実施形態のＬＥＤモジュール２３を構成する複数個のＬＥＤ２３１は一列状に配されているが、２列以上の複数列状に配されてもよい。ＬＥＤモジュール２３を構成するＬＥＤ基板２３３は１枚により構成されているが、ＬＥＤ基板は複数枚により構成されてもよい。
ＬＥＤモジュール２３は同じ光色を発するＬＥＤ２３１を備えていたが、例えば、光色の異なる複数種類のＬＥＤを備え、調色可能な構成としてもよい。なお、この場合も調色回路はスイッチユニットに組み込まれるのが好ましい。
【００５０】
（３）スイッチユニット
実施形態のスイッチユニット２５は、被接触のセンサを利用しているが、例えば、ボタン式、ボリューム式（回転式）、スライド式等のスイッチを利用してもよい。スイッチユニットは、ＬＥＤ基板と別のスイッチ基板を備えていたが、例えば、ＬＥＤ基板とスイッチ基板とを一体にした形態でもあってもよい。
【００５１】
２．取付具
実施形態の取付具３は、光源装置２の光出射方向が設置面５に対して垂直又は平行となるように２つの状態で取付可能であるが、例えば、光出射方向が設置面に対して所定角度傾斜した状態で光源装置２を取付可能とする取付具であってもよい。
以下、光源装置２を４５［°］傾斜した状態で取り付ける取付具１０３について図１４から図１６を用いて説明する。
照明装置１０１は、光源装置２と、１個又は複数個（ここでは２個である。）の取付具１０３とを有する。
取付具１０３は例えば、天井面等の水平な設置面１０５に固定される。取付具１０３は一対の板状部１０３３，１０３５を有する。一対の板状部１０３３，１０３５は、光源装置２の長手方向から見たとき（図１５である。）に、一端同士が連結されている。一対の板状部１０３３，１０３５は補助板１０３７，１０３９により補強されている。
ここでは、一対の板状部１０３３，１０３５は、略９０［°］の状態で連結された「Ｌ」字状をしている。なお、一対の板状部１０３３，１０３５は９０［°］以外の角度で連結されてもよい。一対の板状部１０３３，１０３５の連結された部分を連結部１０３４としている。
【００５２】
各板状部１０３３，１０３５は光源装置２を取り付けるための取付部１０３３ａ，１０３５ａを有している。取付部１０３３ａ，１０３５ａは板状部１０３３，１０３５における連結部１０３４と反対側の端部に設けられている。ここでの取付部１０３３ａ，１０３５ａも係合構造を利用している。取付部１０３３ａ，１０３５ａは光源装置２のベース２１３に存在する溝状の取付部２１３ｆ，２１３ｇに係合する（嵌る）凸部分により構成される。
各板状部１０３３，１０３５は、取付部１０３３ａ，１０３５ａが存する部位が互いに平行となるように、湾曲部１０３３ｂ，１０３５ｂを有している。湾曲部１０３３ｂ，１０３５ｂは各板状部１０３３，１０３５における連結部１０３４から取付部１０３３ａ，１０３５ａに向かう途中に存在する。
【００５３】
一対の板状部１０３３，１０３５の少なくとも一方（ここでは板状部１０３３である。）は取付具１０３を設置面１０５に固定する固定部を有している。ここでは、板状部１０３３が設置面１０５に接する状態で固定される。固定部は１種類又は複数種類ある。ここでは実施形態と同様に２種類ある。
【００５４】
固定部１０３３ｃは磁石用の凹部により構成される。ここでも、固定部１０３３ｃの底部分には貫通孔１０３３ｄが設けられている。なお、ここでは、磁石は円板状をしているため、固定部１０３３ｃ及び貫通孔１０３３ｄは円形状をしている。
【００５５】
固定部１０３３ｅ，１０３３ｆは、板状部１０３３，１０３５の短手方向の中央であって長手方向に間隔をおいて設けられている。固定部１０３３ｅ，１０３３ｆを利用する固定はねじ部材が利用される。このため、固定部１０３３ｅ，１０３３ｆは貫通孔により構成される。ここでは、ねじ部材は皿ねじタイプが利用され、ねじ部材の頭部が板状部１０３３から張り出さないように貫通孔が表面拡がりとなっている。
【００５６】
実施形態の照明装置１及び変形例の照明装置１０１は、光源装置２を設置面５に対して取付具３を用いて固定する構成としていたが、例えば、設置面の表面が接着テープや接着剤による接着に対応可能な設置面の場合に、光源装置２の裏面に両面テープを貼ることや接着剤を塗布することにより、光源装置２を設置面に固定することも可能である。この場合、取付具は接着テープや接着剤となる。さらに、このような場合、照明装置は、光源装置とＡＣアダプタとを備えるとしてもよいし、ＡＣアダプタに互換性がある場合は光源装置のみを備えるとしてもよい。
【符号の説明】
【００５７】
１    照明装置
２    光源装置
３    取付具
５    設置面
９    電気ケーブル
２１    筐体
２３    ＬＥＤモジュール
２１３    ベース
２１３ａ  底壁
２１３ｂ  側壁
２１３ｃ  側壁
２１５    スイッチ
２１６    ＬＥＤ側表カバー
２３１    ＬＥＤ
【図１】
2017147115.tif 000003
【図２】
2017147115.tif 000004
【図３】
2017147115.tif 000005
【図４】
2017147115.tif 000006
【図５】
2017147115.tif 000007
【図６】
2017147115.tif 000008
【図７】
2017147115.tif 000009
【図８】
2017147115.tif 000010
【図９】
2017147115.tif 000011
【図１０】
2017147115.tif 000012
【図１１】
2017147115.tif 000013
【図１２】
2017147115.tif 000014
【図１３】
2017147115.tif 000015
【図１４】
2017147115.tif 000016
【図１５】
2017147115.tif 000017
【図１６】
2017147115.tif 000018